(57)【要約】【課題】複数のノイズ発生部が存在する場合でも、各ノイズ発生部から発生する各ノイズの強度を小さくすることができる電子機器を提供する。【解決手段】光ディスク装置１は、光ディスク１００からデータを読み取るドライブ装置２１と、そのデータをＤＡ変換してＴＶ６０に出力するＨＤＭＩ送信部２２とを備える。ドライブ装置２１のグランド端子はフレームグランドＦＧに接続され、第一のノイズが接地される。光ディスク装置１は、そのグランド端子からフレームグランドＦＧに流れるノイズをオンオフするＦＥＴＱ１を備え、制御部１０がＦＥＴＱ１のオンオフを所定のＤｕｔｙ比又は周波数で交互に切り替える。制御部１０は、そのDuty比又は周波数等を調節することで、インピーダンスを適切な値に設定することができる。これにより、第一のノイズ発生部Ｎ１及び第二のノイズ発生部Ｎ２から発生する各ノイズの強度を基準値Ｅｔｈより小さくすることができる。【選択図】  図１
2010211860.tif 000002
【特許請求の範囲】
【請求項１】
複数のノイズ発生部と、
前記複数のノイズ発生部のいずれかのノイズ発生部に設けられたグランド端子と接続し、前記ノイズ発生部で発生したノイズを導電性のフレームに接地するフレームグランドと、
を備えた電子機器において、
前記グランド端子から前記フレームグランドに流れるノイズをオンオフするスイッチ素子と、
前記スイッチ素子をオンオフする制御信号を前記スイッチ素子に出力する制御回路と、を備えることを特徴とする電子機器。
【請求項２】
Duty比又は周波数の設定を受け付ける操作部を備え、
前記制御回路は、前記操作部で設定されたDuty比又は周波数で前記制御信号を出力することを特徴とする請求項１に記載の電子機器。
【請求項３】
前記スイッチ素子を複数備え、
各スイッチ素子に対するDuty比又は周波数の設定を受け付ける操作部を備え、
前記制御回路は、前記制御信号を、前記操作部で設定されたDuty比又は周波数で各スイッチ素子に出力することを特徴とする請求項１に記載の電子機器。
【請求項４】
前記制御回路は、前記制御信号のDuty比又は周波数を、ランダムに変動することを特徴とする請求項２又は３に記載の電子機器。
【請求項５】
光ディスクにレーザ光を照射して、その反射光を検知し、検知された該反射光から映像音声データを読取る読取部と、
前記読取部で読み取られた前記映像音声データを示す再生信号を同期信号と共に電子機器外部に出力する送信部と、を備えることを特徴とする請求項１から４のいずれかに記載の電子機器。
【発明の詳細な説明】
【技術分野】
【０００１】
本発明は、複数のノイズ発生部を備える電子機器に関するものである。
【背景技術】
【０００２】
従来から、メディアからデータを読み取って再生する、ブルーレイプレーヤやブルーレイレコーダなどの電子機器が一般に広く普及している。
【０００３】
電子機器は、さまざまな電磁波（電磁ノイズ）を放射する。この電磁ノイズは他の機器に影響を与えるため、電子機器においては、周辺に電磁ノイズの影響を及ぼさないＥＭＩ（Electro  Magnet  Interference）対策が要求されている。
【０００４】
そこで、電子機器の開発担当者等は、電子機器の出荷前に、ＥＭＩ対策で求められている要求基準を電子機器が満たしているかどうか検査している。この検査はＥＭＩ検査と呼ばれ、例えばブルーレイプレーヤであれば、ブルーレイディスクからデータを実際に読み取り、その読取によって放射される電磁波の電界強度（以下、ノイズ強度と称する）を測定することにより同検査が行われる。そして、そのＥＭＩ検査において第一のノイズ発生部から第一のノイズが発生していた場合、開発担当者は、有効なＥＭＩ対策として、第一のノイズ発生部のグランド端子を直接、又はダンピング抵抗を介してケースやシャーシ等のフレームグランドに接続していた。
なお、特許文献１では、ＤＶＤ再生装置が提案されている。
【先行技術文献】
【特許文献】
【０００５】
【特許文献１】特開２００５−１８８４９公報
【発明の概要】
【発明が解決しようとする課題】
【０００６】
しかしながら、上記ＥＭＩ対策を施すことにより、別の第二のノイズ発生部から、上記要求基準の基準値を超える第二のノイズが発生する場合があった。例えばブルーレイプレーヤで説明すると、まずブルーレイプレーヤは、ブルーレイディスクにレーザ光を照射し、その反射光から映像音声データを読み取るドライブ装置と、その映像音声データを示す再生信号を同期信号と共にプレーヤ本体外部へ出力するＨＤＭＩ送信部と、を一般的に備える。ここで、ドライブ装置によって発生する第一のノイズを抑えるためにドライブ装置のグランド端子をフレームグランドに接続すると、ＨＤＭＩ送信部で生成する同期信号を起因とする第二のノイズが上記基準値を超えて発生する場合があった。
【０００７】
このようなノイズ発生の挙動については、信号周波数や線間インピーダンス等の複数のパラメータが存在し、且ついくつかのパラメータが動的に変化するため、定性的な分析が困難である。そのため、上記ＥＭＩ対策のように高周波に対するインピーダンスを固定する方法では、最適な耐ノイズダンピング特性を発揮できない。
【０００８】
よって、従来の電子機器では、第一のノイズ発生部に対する上記ＥＭＩ対策を施しても、第二のノイズ発生部から上記基準値を超える第二のノイズが発生し、又、第二のノイズ発生部に対する上記ＥＭＩ対策を施すと、第一のノイズ発生部に対するＥＭＩ効果が悪くなることがしばしば生じていた。そのため、従来の電子機器では、両ノイズ発生部から発生するノイズの強度を経時的に安定して抑制することが困難であった。また、従来の電子機器では、ノイズ発生部が３つ以上ある場合、各ノイズ発生部から発生する各ノイズの強度を経時的に安定して抑制するのは非常に困難であった。
【０００９】
本発明はこのような従来の課題を解決しようとするものであり、複数のノイズ発生部が存在する場合でも、各ノイズ発生部から発生する各ノイズの強度を小さくすることができる電子機器を提供することを目的とする。
【課題を解決するための手段】
【００１０】
本発明の電子機器は、前記課題を解決するために以下の構成を備えている。
【００１１】
（１）複数のノイズ発生部と、
前記複数のノイズ発生部のいずれかのノイズ発生部に設けられたグランド端子と接続し、前記ノイズ発生部で発生したノイズを導電性のフレームに接地するフレームグランドと、
を備えた電子機器において、
前記グランド端子から前記フレームグランドに流れるノイズをオンオフするスイッチ素子と、
前記スイッチ素子をオンオフする制御信号を前記スイッチ素子に出力する制御回路と、を備えることを特徴とする。
【００１２】
この構成では、上記制御回路がスイッチ素子のオンオフを交互に切り替えることで、インピーダンスを擬似的に変動させている。
この構成において、上記制御回路がスイッチ素子のオンオフを交互に切り替えると、各ノイズ発生部から発生するノイズの強度は、各ノイズ発生部から発生するノイズそのままの状態と、そのノイズのピークが低下した状態と、の間で交互に切り替わる波形を示す。そのため、上記制御回路が、出力する制御信号のDuty比又は周波数等を調節することで、インピーダンスを適切な値に設定することができる。よって、上記制御回路が、制御信号のDuty比又は周波数等を、各ノイズ発生部から発生する各ノイズの強度がそれぞれ上記要求基準の基準値以下となる値に調節することで、各ノイズ発生部から発生する各ノイズの強度を上記要求基準の基準値より小さくすることができる。
従って、複数のノイズ発生部が存在する場合でも、各ノイズ発生部から発生する各ノイズの強度を上記要求基準の基準値より小さくすることができる。
【００１３】
（２）Duty比又は周波数の設定を受け付ける操作部を備え、
前記制御回路は、前記操作部で設定されたDuty比又は周波数で前記制御信号を出力することを特徴とする。
【００１４】
この構成では、操作部で設定されたDuty比又は周波数で、スイッチ素子に対して制御信号を出力する。Ｄｕｔｙ比又は周波数は、各ノイズ発生部から発生するノイズの強度がそれぞれ上記要求基準の基準値以下となる値に予め設定する。
【００１５】
（３）前記スイッチ素子を複数備え、
各スイッチ素子に対するDuty比又は周波数の設定を受け付ける操作部を備え、
前記制御回路は、前記制御信号を、前記操作部で設定されたDuty比又は周波数で各スイッチ素子に出力することを特徴とする。
【００１６】
この構成では、操作部で設定されたDuty比又は周波数で、各スイッチ素子に対して制御信号を出力する。Duty比又は周波数を適切な値に設定することで、各ノイズ発生部から発生する各ノイズの強度を上記要求基準の基準値より小さくすることができる。
【００１７】
（４）前記制御回路は、前記制御信号のDuty比又は周波数を、ランダムに変動することを特徴とする。
【００１８】
（５）光ディスクにレーザ光を照射して、その反射光を検知し、検知された該反射光から映像音声データを読取る読取部と、
前記読取部で読み取られた前記映像音声データを示す再生信号を同期信号と共に電子機器外部に出力する送信部と、を備えることを特徴とする。
【００１９】
この構成では、ノイズが、読取部および送信部に起因して発生する場面を想定している。そして、上記（１）の構成により、読取部および送信部に起因して発生する各ノイズの強度を上記要求基準の基準値より小さくすることができる。
【発明の効果】
【００２０】
この発明によれば、複数のノイズ発生部が存在する場合でも、各ノイズ発生部から発生する各ノイズの強度を上記要求基準の基準値より小さくすることができる。
【図面の簡単な説明】
【００２１】
【図１】本発明の実施形態である光ディスク装置の主要な構成を示す回路図
【図２】上記光ディスク装置の第一のノイズ発生部と第二のノイズ発生部から発生するノイズの波形の一例を示す概略図
【図３】ＦＥＴのオンオフを切り替えた時に、第一のノイズ発生部と第二のノイズ発生部から発生するノイズのノイズ強度の波形の一例を示す概略図
【図４】本発明の実施形態の変形例である光ディスク装置の主要な構成を示す回路図
【発明を実施するための形態】
【００２２】
以下、本発明の実施形態である光ディスク装置について説明する。
【００２３】
図１は、本発明の実施形態である光ディスク装置の主要な構成を示す回路図である。光ディスク装置１は、商用電源５０のＡＣ１００Ｖ電源電圧を降圧してから１２ＶのＤＣ電源電圧を生成するＡＣ−ＤＣコンバータ回路１１と、生成された１２Ｖの電源電圧を降圧して５Ｖの電源電圧を生成するシリーズレギュレータＩＣ１２と、装置本体の各部の動作を制御する制御部１０と、光ディスク１００から映像音声データを読取り、再生信号としてテレビジョン（以下、ＴＶと称する）６０に出力する被制御機器２０と、ドライブ装置２１からフレームグランドＦＧに流れる第一のノイズをオンオフするＦＥＴ（電界効果トランジスタ）Ｑ１と、ＦＥＴＱ１のオンオフを切り替えるスイッチ回路１５と、を備える。
【００２４】
光ディスク装置１は所謂ブルーレイプレーヤであり、光ディスク１００はブルーレイディスクである。光ディスク装置１とＴＶ６０は、ＨＤＭＩのインタフェースで互いに接続されている。このＨＤＭＩは、High  Definition  Multimedia  Interfaceの略であり、ブルーレイプレーヤ等の光ディスク装置からテレビジョン等の出力装置へディジタルの映像音声信号を伝送するためのインタフェースである。さらに、ＨＤＭＩは、光ディスク装置と出力装置との間で、ＥＤＩＤ（Extended display identification data）等の制御情報を通信できる規格である。
【００２５】
ＡＣ−ＤＣコンバータ回路１１は、光ディスク装置１に入力されるＡＣ１００Ｖ電源電圧をＤＣ１２Ｖの電源電圧に降圧して出力する。その電源電圧は、アルミ電解コンデンサＣ１にてＤＣ１２Ｖに安定化する。このＤＣ１２Ｖの電源電圧は、被制御機器２０に入力される。
【００２６】
シリーズレギュレータＩＣ１２は、アルミ電解コンデンサＣ１の両端電圧をＤＣ５Ｖの電源電圧に降圧して出力する。この電源電圧は、アルミ電解コンデンサＣ２にてＤＣ５Ｖに安定化する。そして、このＤＣ５Ｖの電源電圧は、制御部１０に入力される。
【００２７】
制御部１０は、例えばＣＰＵで構成される。制御部１０は、生成されたＤＣ５Ｖの電源電圧で駆動する。制御部１０は、制御ピンＣＰ１からＦＥＴＱ１のゲートに電圧を印加してＦＥＴＱ１をオン状態にしたり、その電圧の印加を停止してＦＥＴＱ１をオフ状態にしたりする。
なお、Ｑ１をＦＥＴで構成している理由は電力損失を最小限に抑えるためであり、実施の際はその他のスイッチ素子で構成しても構わない。
【００２８】
被制御機器２０は、光ディスク１００に対してデータの読取または記録を行うドライブ装置２１と、そのデータを示す再生信号を同期信号と共にＴＶ６０に出力するＨＤＭＩ送信部２２と、を有する。被制御機器２０は、生成されたＤＣ１２Ｖの電源電圧で駆動する。
【００２９】
ドライブ装置２１は、光ディスク装置１のケース内に取り付けられている。ドライブ装置２１は、光ディスク１００にレーザ光を照射し、その反射光を検知するピックアップ２１Ａと、検知された該反射光から映像音声データを読取る読取回路２１Ｂと、を有する。読取回路２１Ｂは、読み取った映像音声データを例えばＭＰＥＧでデコードし、ＨＤＭＩ送信部２２に出力する。
【００３０】
ＨＤＭＩ送信部２２は複数のチップが実装されたプリント基板で構成され、その基板は光ディスク装置１のケース内に取り付けられている。ＨＤＭＩ送信部２２は、ドライブ装置２１から入力した映像音声データを示す再生信号を１４８ＭＨｚの同期信号と共にＴＶ６０に出力する。ここで、ＨＤＭＩ送信部２２は、１４８ＭＨｚの同期信号を生成するクロック生成回路２２Ａを有する。クロック生成回路２２Ａは、例えば水晶振動子からなる水晶発振器で構成される。
【００３１】
ＴＶ６０は、デジタルテレビで構成される。ＴＶ６０は、ＨＤＭＩ送信部２２から入力した同期信号に基づいて同期を取りながら映像音声データを処理し、映像の表示と音声の出力とを行う。これにより、ユーザは光ディスク１００に記録されているコンテンツを視聴する。
【００３２】
図２は、上記光ディスク装置の第一のノイズ発生部と第二のノイズ発生部から発生するノイズの波形の一例を示す概略図である。図２（Ａ）は、ＦＥＴＱ１がオフ状態にある時に第一のノイズ発生部Ｎ１から発生する第一のノイズのノイズ強度の波形を示す図であり、図２（Ｂ）は、ＦＥＴＱ１がオフ状態にある時に第二のノイズ発生部Ｎ２から発生する第二のノイズのノイズ強度の波形を示す図であり、図２（Ｃ）は、ＦＥＴＱ１がオン状態にある時に第一のノイズ発生部Ｎ１から発生する第一のノイズのノイズ強度の波形を示す図であり、図２（Ｄ）は、ＦＥＴＱ１がオン状態にある時に第二のノイズ発生部Ｎ２から発生する第二のノイズのノイズ強度の波形を示す図である。図２（Ａ）〜（Ｃ）の各時間間隔は、図２（Ｄ）の各時間間隔ｔ１〜ｔ２、ｔ２〜ｔ３、ｔ３〜ｔ４、ｔ４〜ｔ５、ｔ５〜ｔ６、及びｔ６〜ｔ７と同じである。
【００３３】
ここで、上記ピックアップ２１Ａは、レーザ駆動信号を生成し、このレーザ駆動信号に基づいてレーザ光を照射する。照射されるレーザ光は反射光と干渉するため、ピックアップ２１Ａは、この干渉を打ち消す３００ＭＨｚの打消信号を、生成したレーザ駆動信号に重畳してから、レーザ駆動信号に基づいてレーザ光を照射する。しかし、ピックアップ２１Ａがこの打消信号を生成することで、３００ＭＨｚの第一のノイズが第一のノイズ発生部Ｎ１（ピックアップ２１Ａを含むドライブ装置２１の第一のＧＮＤ回路）から発生してしまう（図２（Ａ）参照）。
【００３４】
そこで、ＥＭＩ対策として、ドライブ装置２１のグランド端子をフレームグランドＦＧに接続し、第一のノイズを接地している。これにより、第一のノイズの波形は、図２（Ｃ）のような波形を示す。
【００３５】
しかしながら、第一のノイズをフレームグランドＦＧに接地することにより、ＨＤＭＩ送信部２２で生成される１４８ＭＨｚの同期信号に起因する７４１ＭＨｚの高調波（第二のノイズ）が要求基準の基準値Ｅｔｈ[V/m]を超えて第二のノイズ発生部Ｎ２（フレームグランドＦＧ）から発生する場合があった。具体的には、第二のノイズが図２（Ｂ）に示す波形から図２（Ｄ）に示す波形へと変化する場合があった。
【００３６】
そこで、この実施形態では、ドライブ装置２１のグランド端子からフレームグランドＦＧに流れるノイズ電流をオンオフするＦＥＴＱ１を設け、制御部１０がＦＥＴＱ１のオンオフを、所定のＤｕｔｙ比又は所定の周波数で交互に切り替える。これにより、インピーダンスが擬似的に変動する。
【００３７】
なお、光ディスク装置１が、Duty比又は周波数の設定を受け付ける操作部を備えても構わない。Ｄｕｔｙ比又は周波数が操作部で設定されると、制御部１０は設定されたＤｕｔｙ比又は周波数でＦＥＴＱ１のオンオフを切り替える。
また、制御部１０は、制御信号のDuty比又は周波数を、ランダムに変動させても構わない。
【００３８】
図３は、ＦＥＴのオンオフを切り替えた時に、第一のノイズ発生部と第二のノイズ発生部から発生するノイズのノイズ強度の波形の一例を示す概略図である。図３（Ａ）は、ＦＥＴＱ１のオンオフを切り替えた時に第一のノイズ発生部Ｎ１から発生するノイズのノイズ強度の波形を示し、図３（Ｂ）は、ＦＥＴＱ１のオンオフを切り替えた時に第二のノイズ発生部Ｎ２から発生するノイズのノイズ強度の波形を示している。また、図３（Ｃ）は、図３（Ａ）に示すノイズ強度の波形をｔ１〜ｔ７で平均した波形を示し、図３（Ｄ）は、図３（Ｂ）に示すノイズ強度の波形をｔ１〜ｔ７で平均した波形を示している。図３（Ａ）〜（Ｃ）の時間間隔は、図３（Ｄ）の時間間隔ｔ１〜ｔ２、ｔ２〜ｔ３、ｔ３〜ｔ４、ｔ４〜ｔ５、ｔ５〜ｔ６、及びｔ６〜ｔ７と同じである。
【００３９】
以上より、制御部１０がＦＥＴＱ１のオンオフを例えばＤｕｔｙ比５０％で交互に切り替えると、第一のノイズ発生部Ｎ１及び第二のノイズ発生部Ｎ２から発生する各ノイズのノイズ強度は、図３（Ａ）（Ｂ）に示すような波形を示す。即ち、各ノイズのノイズ強度は、第一のノイズ発生部Ｎ１及び第二のノイズ発生部Ｎ２から発生するノイズそのままの状態と、そのノイズのピークが低下した状態と、の間で交互に切り替わる波形を示す。そのため、制御部１０が、出力する制御信号のDuty比又は周波数等を調節することで、インピーダンスを適切な値に設定することができる。
【００４０】
よって、制御部１０が、制御信号のDuty比又は周波数等を、第一のノイズ発生部Ｎ１及び第二のノイズ発生部Ｎ２から発生する各ノイズの強度がそれぞれ基準値Ｅｔｈ以下となる値に調節することで（図３（Ｃ）（Ｄ）参照）、第一のノイズ発生部Ｎ１及び第二のノイズ発生部Ｎ２から発生する各ノイズの強度を基準値Ｅｔｈより小さくすることができる。
【００４１】
また、本発明の実施形態は、以下の変形例を採用することができる。
【００４２】
図４は、本発明の実施形態の変形例である光ディスク装置の主要な構成を示す回路図である。光ディスク装置２は、複数のスイッチ素子を設けた点で、図１に示す光ディスク装置１と異なっている。即ち、光ディスク装置２は、ＦＥＴＱ２をさらに備え、制御部１０は、ＦＥＴＱ２のオンオフを制御するための制御ピンＣＰ２をさらに有している。そして、光ディスク装置２では、第一のノイズに加えて、３００ＭＨｚの第三のノイズが第三のノイズ発生部Ｎ３（ピックアップ２１Ａを含むドライブ装置２１の第二のＧＮＤ回路）から発生する。そのため、ドライブ装置２１の各グランド端子をフレームグランドＦＧに接続したとする。これにより、第二のノイズ発生部Ｎ２から第二のノイズが発生することがある。
【００４３】
この変形例においても、制御部１０が、出力する制御信号のDuty比又は周波数等を調節することで、インピーダンスを適切な値に設定することができる。
よって、制御部１０が、制御信号のDuty比又は周波数等を、第一のノイズ発生部Ｎ１、第二のノイズ発生部Ｎ２及び第三のノイズ発生部Ｎ３から発生する各ノイズの強度がそれぞれ基準値Ｅｔｈ以下となる値に調節することで、第一のノイズ発生部Ｎ１、第二のノイズ発生部Ｎ２及び第三のノイズ発生部Ｎ３から発生する各ノイズの強度を基準値Ｅｔｈより小さくすることができる。
【００４４】
なお、光ディスク装置２においても、各ＦＥＴＱ１、Ｑ２に対するDuty比又は周波数の設定を受け付ける操作部を設けて構わない。Ｄｕｔｙ比又は周波数が操作部で設定されると、制御部１０は設定されたＤｕｔｙ比又は周波数で各ＦＥＴＱ１、Ｑ２のオンオフを切り替える。
また、制御部１０は、制御信号のDuty比又は周波数を、ランダムに変動させても構わない。
【符号の説明】
【００４５】
１…光ディスク装置
２…光ディスク装置
１０…制御部
１１…ＡＣ−ＤＣコンバータ回路
１２…シリーズレギュレータＩＣ
２０…被制御機器
２１…ドライブ装置
２１Ａ…ピックアップ
２１Ｂ…読取回路
２２…ＨＤＭＩ送信部
２２Ａ…クロック生成回路
５０…商用電源
６０…ＴＶ
１００…光ディスク
【図１】
2010211860.tif 000003
【図２】
2010211860.tif 000004
【図３】
2010211860.tif 000005
【図４】
2010211860.tif 000006